(57)【要約】【課題】ユーザの利便性を維持しつつ消費電力を低減させることが可能な画像形成装置、電源制御方法及び電源制御プログラムを提供することを目的としている。【解決手段】ジョブ実行の終了時刻が、予め設定されたジョブ監視開始時刻以後の時刻であるか否かを判断するジョブ終了時刻判断部と、前記ジョブ実行の終了時刻が前記ジョブ監視開始時刻以後の時刻であった場合に、前記ジョブ実行の終了時刻から予め設定された第一の所定期間が経過したとき、当該画像形成装置の電源をオフさせる電源制御部と、を有する。【選択図】図６
2013244626.tif 000002
【特許請求の範囲】
【請求項１】
電源がオフされる電源オフ設定時刻が設定された画像形成装置であって、
ジョブ実行の終了時刻が、予め設定されたジョブ監視開始時刻以後の時刻であるか否かを判断するジョブ終了時刻判断部と、
前記ジョブ実行の終了時刻が前記ジョブ監視開始時刻以後の時刻であった場合に、前記ジョブ実行の終了時刻から予め設定された第一の所定期間が経過したとき、当該画像形成装置の電源をオフさせる電源制御部と、を有する画像形成装置。
【請求項２】
前記ジョブ実行の終了時刻が前記ジョブ監視開始時刻から前記電源オフ設定時刻までの第二の所定期間にあり、且つ前記第一の所定期間が前記第二の所定期間よりも短いとき、
前記電源制御部は、
前記電源オフ設定時刻となったときに当該画像形成装置の電源をオフさせる請求項１記載の画像形成装置。
【請求項３】
前記電源オフ設定時刻以後の前記第一の所定時間の残り時間が予め設定された第三の所定期間より長いとき、
前記電源制御部は、
前記電源オフ設定時刻となったときに当該画像形成装置を待機状態からスリープ状態へ移行させる請求項１記載の画像形成装置。
【請求項４】
前記電源オフ設定時刻以後の前記第一の所定時間の残り時間が前記第三の所定期間より短いとき、
前記電源制御部は、
前記第一の所定時間が経過したとき、当該画像形成装置を待機状態からスリープ状態へ移行させる請求項３記載の画像形成装置。
【請求項５】
電源がオフされる電源オフ設定時刻が設定された画像形成装置による電源制御方法であって、
ジョブ実行の終了時刻が、予め設定されたジョブ監視開始時刻以後の時刻であるか否かを判断するジョブ終了時刻判断手順と、
前記ジョブ実行の終了時刻が前記ジョブ監視開始時刻以後の時刻であった場合に、前記ジョブ実行の終了時刻から予め設定された第一の所定期間が経過したとき、当該画像形成装置の電源をオフさせる電源制御手順と、を有する電源制御方法。
【請求項６】
電源がオフされる電源オフ設定時刻が設定された画像形成装置により実行される電源制御プログラムであって、
前記画像形成装置に、
ジョブ実行の終了時刻が、予め設定されたジョブ監視開始時刻以後の時刻であるか否かを判断するジョブ終了時刻判断ステップと、
前記ジョブ実行の終了時刻が前記ジョブ監視開始時刻以後の時刻であった場合に、前記ジョブ実行の終了時刻から予め設定された第一の所定期間が経過したとき、当該画像形成装置の電源をオフさせる電源制御ステップと、を実行させる電源制御プログラム。
【発明の詳細な説明】
【技術分野】
【０００１】
本発明は、電源がオフされる電源オフ設定時刻が設定された画像形成装置、電源制御方法及び電源制御プログラムに関する。
【背景技術】
【０００２】
近年の電子写真プロセスを利用した画像形成装置や、プリンタ、ファクシミリ及びこれらを組み合わせた複合機等の電子機器では、エネルギー消費の削減が求められている。例えば国際的な規格となるエネルギースターやブルーエンジェル等では、電子機器が使用されない間は自動的にスリープモードに移行することが要求されている。また近年では、所定時間内にユーザの操作やコンピュータからのプリント要求がなかった場合にスリープモードへ移行することで、消費電力を削減する技術が展開されている。
【０００３】
スリープモードとは、機器に電源を供給している際に最も電力状態が低いモード状態である。しかしながら、スリープモード時においても電力消費は０Ｗとはならず、少ないながらも電力が消費される。このためスリープモード時の積算電力量は、無視できない量となる場合がある。
【０００４】
そこで従来では、さらなる消費電力の低減を目指して様々な工夫がされている。例えば特許文献１には、ユーザが未使用になると予想される時間帯を予め機器に設定しておき、設定時間帯内に機器がスリープモードへ移行する時間となった場合には、機器の電源をオフする技術が開示されている。
【発明の概要】
【発明が解決しようとする課題】
【０００５】
しかしながら特許文献１記載の発明では、ユーザの使用がなかった場合は常時スリープモードとなるため電力を消費する。
【０００６】
また特許文献１記載の発明では、例えばスリープモードへ移行する時間が短く設定されている場合には直ぐに電源がオフされるため、次に使用したいユーザがいても電源がオフされる虞があり、利便性に欠ける。この問題は、例えスリープモードへ移行する時間を長くすることで解決できるが、スリープモードへ移行するまでの電力消費を抑えることはできない。
【０００７】
本発明は、上記事情を鑑みてこれを解決すべく成されたものであり、ユーザの利便性を維持しつつ消費電力を低減させることが可能な画像形成装置、電源制御方法及び電源制御プログラムを提供することを目的としている。
【課題を解決するための手段】
【０００８】
本発明は、上記目的を達成すべく以下の如き構成を採用した。
【０００９】
本発明は、ジョブ実行の終了時刻が、予め設定されたジョブ監視開始時刻以後の時刻であるか否かを判断するジョブ終了時刻判断部と、
前記ジョブ実行の終了時刻が前記ジョブ監視開始時刻以後の時刻であった場合に、前記ジョブ実行の終了時刻から予め設定された第一の所定期間が経過したとき、当該画像形成装置の電源をオフさせる電源制御部と、を有する。
【発明の効果】
【００１０】
本発明によれば、ユーザの利便性を維持しつつ消費電力を低減させることができる。
【図面の簡単な説明】
【００１１】
【図１】第一の実施形態の画像形成装置の外観を説明する図である。
【図２】第一の実施形態の画像形成装置の画像形成部を説明する図である。
【図３】第一の実施形態の画像形成装置の有するシステム制御部を説明する図である。
【図４】第一の実施形態のＣＰＵの機能構成を説明する図である。
【図５】第一の実施形態の画像形成装置の動作を説明するフローチャートである。
【図６】第一の実施形態の画像形成装置の動作を説明する図である。
【図７】電源オフ設定時刻となる前に期間Ｂが終了した場合を示す図である。
【図８】電源オフ設定時刻となる前に期間Ｂが終了した場合の動作を示すフローチャートである。
【図９】第二の実施形態のＣＰＵの機能構成を説明する図である。
【図１０】第二の実施形態の移行時間判断部による判断を説明する図である。
【図１１】第二の実施形態の画像形成装置の動作を説明するフローチャートである。
【発明を実施するための形態】
【００１２】
本発明は、画像形成装置において実行されたジョブの終了時刻に基づき画像形成装置の電源をオフするタイミングを異ならせる。
（第一の実施形態）
以下に図面を参照して本発明の第一の実施形態について説明する。図１は、第一の実施形態の画像形成装置の外観を説明する図である。
【００１３】
本実施形態の画像形成装置１００は、自動原稿送り装置（ＡＤＦ）１１０と、操作ボード１２０と、カラースキャナ１３０と、画像形成部２００の各ユニットで構成されている。
【００１４】
本実施形態の操作ボード１２０と、ＡＤＦ１１０付きのカラースキャナ１３０は、画像形成部２００から分離可能なユニットである。本実施形態のカラースキャナ１３０は、動力機器ドライバやセンサ入力およびコントローラを有する制御部を有しており、エンジンコントローラと直接又は間接的に通信を行い、タイミング制御されて原稿画像の読取りを行う。
【００１５】
また本実施形態の画像形成装置１００は、例えば画像形成装置１００に適切な方法で接続されたコンピュータ（ＰＣ）１０等で作成さたれ画像データ等が送られ、この画像データに基づく画像の出力を行っても良い。
【００１６】
図２は、第一の実施形態の画像形成装置の画像形成部を説明する図である。本実施形態の画像形成部２００は、例えばレーザプリンタ等により実現される。
【００１７】
画像形成部２００は、マゼンダ（Ｍ），シアン（Ｃ），イエロー（Ｙ）および黒（ブラック：Ｋ）の各色の画像を形成するための４組のトナー像形成ユニットａ−ｄが、第１転写ベルト２０５の移動方向に沿ってこの順に配置されている。トナー像形成ユニットにおいて回転可能に支持された感光体２０１の外周部には、除電装置，クリーニング装置，帯電装置２０２および現像装置２０４が配備されている。帯電装置２０２と現像装置２０４の間には、露光装置２０３から発せられる光情報の入るスペースが確保されている。
【００１８】
第１転写ベルト２０５は、回転する支持ローラ及び駆動ローラ間に支持されており、裏側（ループの内側）には、第１転写ローラが感光体２０１の近傍に配備されている。露光装置２０３は公知のレーザ方式で、フルカラー画像形成に対応した光情報を、一様に帯電された感光体表面に潜像として照射する。
【００１９】
第１転写ベルト２０５の右方には、第２転写ベルト２０６が配備されている。第１転写ベルト２０５と第２転写ベルト２０６は接触し、あらかじめ定められた転写ニップを形成する。 第２転写ベルト２０６は支持ローラおよび駆動ローラ間に支持されていて、裏側（ループの内側）には、第２転写ローラが配備されている。転写紙（用紙）は、給紙カセット２０７，２０８に収納されており、最上の用紙が給紙ローラで１枚ずつレジストローラ２０９に搬送される。
【００２０】
また本実施形態の画像形成部２００は、画像形成装置１００の制御を行うシステム制御部３００を有する。
【００２１】
図３は、第一の実施形態の画像形成装置の有するシステム制御部を説明する図である。本実施形態のシステム制御部３００は、画像形成装置１００の有するエンジン制御部４００（図２では図示せず）と接続されている。
【００２２】
また本実施形態のシステム制御部３００は、ＣＰＵ（Central Processing Unit）３１０、ＲＯＭ（Read Only Memory）３２０、ＲＡＭ（Random Access Memory）３３０、不揮発性ＲＡＭ３４０を有し、エンジン制御部４００とデータ、アドレスバスを通じて、画像形成装置１００全体の制御を行う。
【００２３】
本実施形態のＣＰＵ３１０は、画像形成装置１００のメイン制御を行うもので、各種メモリ制御やネットワーク制御、エンジン制御部４００とのインターフェイス制御等を行う。ＲＯＭ３２０は、データ格納メモリであり、例えばシステムプログラム等が格納される。尚本発明の電源制御プログラムは、例えばシステムプログラムの一部である。
【００２４】
本実施形態の電源制御プログラムは、例えば画像形成装置１００と接続されたネットワークを介してダウンロードされてＲＯＭ３２０又はＲＡＭ３３０に格納されても良い。また電源制御プログラムは、記憶媒体３５０からＲＯＭ３２０又はＲＡＭ３３０に読み込まれても良い。本実施形態の記憶媒体は、例えば、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００２５】
ＣＰＵ３１０は、ＲＯＭ３２０に格納された情報を読み出して各種制御を実施する。ＲＡＭ３３０は、ＣＰＵ３１０のワークメモリとして使用される。不揮発性ＲＡＭ３４０は、画像形成装置１００の制御に必要な設定情報等が格納される。具体的には不揮発性ＲＡＭ３４０には、例えばスリープモードへの移行時間の設定情報や自動電源オフする際に必要な時間設定情報等が格納される。
【００２６】
本実施形態のエンジン制御部４００は、画像形成に必要な作像や定着制御、駆動制御等を行う。また本実施形態のエンジン制御部４００は、各種センサ４１０の入力読み込み及び負荷４２０の個々の駆動を制御する。
【００２７】
本実施形態の主電源４３０は、商用入力電源を画像形成装置１００に必要な電圧に変圧し、電力を供給する。また主電源４３０は、定着ヒータ等に必要なＡＣ（Alternating Current）入力電圧を供給する。
【００２８】
以下に本実施形態ＣＰＵ３１０の機能構成について説明する。本実施形態のシステム制御部３１０は、画像形成装置１００が実行したジョブの終了時間に基づき、主電源４２０をオフさせる時間を制御することで、ユーザの利便性を維持しつつ画像形成装置１００の消費電力を低減させる。
【００２９】
図４は、第一の実施形態のＣＰＵの機能構成を説明する図である。本実施形態のＣＰＵ３１０は、例えばＲＯＭ３２０又はＲＡＭ３３０に格納された電源制御プログラムを読み出して実行することで、以下の各部の機能を実現する。
【００３０】
本実施形態のＣＰＵ３１０は、ジョブ終了時間判断部３１１、設定部３１２、期間経過判断部３１３、電源制御部３１４を有する。
【００３１】
ジョブ終了時刻判断部３１１は、ジョブの実行が終了した時刻が、予め設定されたジョブ監視開始時刻を過ぎたか否かを判断する。設定部３１２は、ジョブ監視開始時刻、電源オフ設定時刻、電源オフ準備期間等の各種の設定を行う。
【００３２】
ここで設定部３１２により設定される各種時刻及び期間について説明する。本実施形態のジョブ監視開始時刻とは、画像形成装置１００においてジョブの終了時刻の監視を開始する時刻である。
【００３３】
本実施形態の電源オフ設定時刻は、画像形成装置１００の電源を自動でオフさせる時刻である。本実施形態の以下の説明では、ジョブ監視開始時刻から電源オフ設定時刻までの期間を期間Ａと呼ぶ。
【００３４】
本実施形態の電源オフ準備期間は、ジョブの実行が終了してから画像形成装置１００の電源をオフするまでの期間である。以下の本実施形態の説明では、電源オフ準備期間を期間Ｂと呼ぶ。
【００３５】
本実施形態の期間経過判断部３１３は、画像形成装置１００に設けられた計時機能により、ジョブ監視開始時刻から期間Ａが経過したか否かを判断する。また期間経過判断部３１３は、ジョブの実行が終了してから期間Ｂが経過したか否かを判断する。電源制御部３１４は、画像形成装置１００の電源のオン／オフを制御する。具体的には本実施形態の電源制御部３１４は、エンジン制御部４００を介して主電源４３０のオン／オフを制御することで、画像形成装置１００の電源のオン／オフを制御する。
【００３６】
以下に図５を参照して本実施形態の画像形成装置１００の動作を説明する。図５は、第一の実施形態の画像形成装置の動作を説明するフローチャートである。
【００３７】
本実施形態の画像形成装置１００は、ジョブの実行要求があるか否かを判断する（ステップＳ５０１）。ステップＳ５０１においてジョブの実行要求がある場合、ジョブを実行する（ステップＳ５０２）。
【００３８】
ステップＳ５０１においてジョブの実行要求がない場合、画像形成装置１００は、スリープモードへの移行時間が経過したか否かを判断する（ステップＳ５０３）。尚本実施形態におけるスリープモードへの移行時間とは、画像形成装置１００が待機状態である待機時間を示す。
【００３９】
ステップＳ５０３において移行時間が経過していない場合、ステップＳ５０１へ戻る。ステップＳ５０３において移行時間が経過した場合、画像形成装置１００はスリープモードへ移行する。（ステップＳ５０４）。本実施形態のスリープモードとは、機器に電源を供給している際に最も電力状態が低いモード状態である。
【００４０】
続いて画像形成装置１００は、ジョブの実行要求があるか否かを判断する（ステップＳ５０５）。ステップＳ５０５において実行要求がある場合、ステップＳ５０２へ戻る。ステップＳ５０５において実行要求がない場合、画像形成装置１００は、電源オフ設定時刻を過ぎたか否かを判断する（ステップＳ５０６）。
【００４１】
ステップＳ５０６において電源オフ設定時刻を過ぎていない場合、画像形成装置１００はステップＳ５０５へ戻る。ステップＳ５０６において電源オフ設定時刻を過ぎた場合、電源制御部３１４は、画像形成装置１００の電源をオフさせて（ステップＳ５０７）、処理を終了する。
【００４２】
また画像形成装置１００は、ステップＳ５０２においてジョブの実行が終了すると、画像形成装置１００は、ジョブ終了時刻判断部３１１により、ジョブの実行の終了時刻がジョブ監視開始時刻以後であるか否かを判断する（ステップＳ５０８）。
【００４３】
ステップＳ５０８においてジョブ実行の終了時刻がジョブ監視開始時刻以後であった場合、期間経過判断部３１３は、ジョブ実行の終了時刻から期間Ｂが経過したか否かを判断する（ステップＳ５０９）。ステップＳ５０８においてジョブ実行の終了時刻がジョブ監視開始時刻より前であった場合、画像形成装置１００は、ステップＳ５０３へ進む。
【００４４】
続いて画像形成装置１００は、ステップＳ５０４において期間Ｂが経過した場合、電源制御部３１４は、ステップＳ５０７へ進み処理を終了する。
【００４５】
以下に図６を参照して図５の処理について具体的に説明する。図６は、第一の実施形態の画像形成装置の動作を説明する図である。
【００４６】
図６（Ａ）は、ジョブ実行の終了時刻がジョブ監視開始時刻以前である場合を示す図である。図６（Ｂ）は、ジョブ実行の終了時刻が期間Ａ内にある場合を示す図である。図６（Ｃ）はジョブ実行の終了時刻が期間Ａの経過後、すなわち電源オフ設定時刻以後である場合を示している。
【００４７】
図６（Ａ）に示すように、ジョブ監視開始時刻ｔ１より前にジョブの実行が終了していた場合、画像形成装置１００はジョブ監視開始時刻ｔ１から期間Ａが経過した電源オフ設定時刻ｔ２において、電源制御部３１４により電源をオフされる。
【００４８】
また本実施形態では、図６（Ｂ）に示すように、ジョブ監視開始時刻ｔ１と電源オフ設定時刻ｔ２との間、すなわち期間Ａ内にジョブの実行が終了して場合、画像形成装置１００はジョブ実行の終了時刻ｔ３から期間Ｂが経過した時刻ｔ４において電源制御部３１４により電源をオフされる。
【００４９】
このように本実施形態では、ジョブ実行の終了時刻がジョブ監視開始時刻より前であるか、又はジョブ監視開始時刻以後であるかに基づき、画像形成装置１００の電源をオフとさせる時刻を変更する。
【００５０】
例えばジョブ実行の終了時刻ｔ３が期間Ａ内にある場合、電源オフ設定時刻ｔ２を経過した後も続けて画像形成装置１００が続けて使用される可能性が高いと思われる。したがって本実施形態では、ジョブ実行の終了時刻ｔ３が期間Ａ内にある場合、電源オフ設定時刻ｔ２で画像形成装置１００の電源をオフせず、終了時刻ｔ３から設定された期間Ｂが経過してから電源をオフさせる。この場合の期間Ｂは、画像形成装置１００が続けて使用される可能性が低いと判断される程度の期間とすることが好ましく、さらには期間Ａよりも長い期間として設定されることが好ましい。
【００５１】
本実施形態では、このようにジョブ実行の終了時刻ｔ３に応じて画像形成装置１００の電源をオフさせるタイミングを制御することで、ユーザの利便性を維持しつつ消費電力を低減させることができる。
【００５２】
また本実施形態では、図６（Ｃ）に示すように、ジョブ実行の終了時刻ｔ３が電源オフ設定時刻ｔ２以後であった場合にも、終了時刻ｔ３から期間Ｂが経過した時刻ｔ４で画像形成装置１００の電源がオフされるものとした。
【００５３】
また本実施形態において、期間Ｂは予め設定部３１２で設定されるものである。このため、例えばユーザの設定によっては、期間Ｂが期間Ａよりも短く設定される場合がある。尚本実施形態では、期間Ａの開始時刻であるジョブ監視開始時刻と、期間Ａの終了時刻である電源オフ設定時刻は、ユーザにより変更されない設定であっても良い。
【００５４】
本実施形態では、期間Ｂが期間Ａよりも短く設定されており、且つジョブ実行の終了時刻ｔ３がジョブ監視開始時刻ｔ１以後となる場合、電源オフ設定時刻ｔ２になる前に期間Ｂが経過する。この場合、ジョブ実行の終了時刻ｔ３以後に続けて画像形成装置１００を使用したいユーザがいた場合でも、画像形成装置１００の電源がオフされる虞がある。
【００５５】
そこで本実施形態では、上述のように電源オフ設定時刻ｔ２となる前に期間Ｂの終了時刻ｔ４となった場合には、電源オフ設定時刻ｔ２になるまで画像形成装置１００の電源をオフしないようにした。
【００５６】
以下に図７、図８を参照して電源オフ設定時刻ｔ２となる前に期間Ｂの終了時刻ｔ４となる場合の画像形成装置１００の動作について説明する。
【００５７】
図７は、電源オフ設定時刻となる前に期間Ｂが終了した場合を示す図である。
【００５８】
図７の例では、ジョブ実行の終了時刻ｔ３がジョブ監視開始時刻ｔ２以後であり、且つ期間Ｂの終了時刻ｔ４が電源オフ設定時間ｔ２より前となっている。本実施形態では、このように場合には、期間Ｂの終了時刻ｔ４ではなく、電源オフ設定時刻ｔ２で画像形成装置１００の電源をオフさせる。
【００５９】
図８は、電源オフ設定時刻となる前に期間Ｂが終了した場合の動作を示すフローチャートである。
【００６０】
図８のステップＳ８０１からステップＳ８０８までの処理は、図５のステップＳ５０１からステップＳ５０８までの処理と同様であるから説明を省略する。
【００６１】
ステップＳ８０８において、ジョブ実行の終了時刻がジョブ監視開始時刻以後であった場合、画像形成装置１００は、期間Ａよりも期間Ｂの方が短く、且つ期間Ｂの終了時刻が電源オフ設定時刻よりも前となるか否かを判断する（ステップＳ８０９）。
【００６２】
ステップＳ８０９において、上記の条件を満たす場合、画像形成装置１００は、ステップＳ８０６へ進む。ステップＳ８０９において上記の条件を満たさない場合、画像形成装置１００はステップＳ８１０へ進む。ステップＳ８１０の処理は、図５のステップＳ５０９と同様であるから説明を省略する。
【００６３】
以上のように本実施形態では、電源オフ設定時刻ｔ２よりも前に期間Ｂが終了する場合、電源オフ設定時刻ｔ２となるまで画像形成装置１００の電源をオフしない。したがって本実施形態では、ジョブ実行の終了後に続けて画像形成装置１００が利用される前に電源がオフされることを防止でき、ユーザの利便性を損なうことを防止できる。
【００６４】
（第二の実施形態）
以下に図面を参照して本発明の第二の実施形態について説明する。本発明の第二の実施例は、電源オフ設定時刻を経過してもスリープモードに移行しない場合を考慮した点が第一の実施形態と相違する。よって以下の本発明の第二の実施形態の説明では、第一の実施形態との相違点についてのみ説明し、第一の実施形態と同様の機能構成を有する点には第一の実施形態の説明で用いた符号と同様の符号を付与し、その説明を省略する。
【００６５】
図９は、第二の実施形態のＣＰＵの機能構成を説明する図である。
【００６６】
本実施形態のＣＰＵ３１０Ａは、第一の実施形態のＣＰＵ３１０の有する各部に加え、移行時間判断部３１５を有する。本実施形態の移行時間判断部３１５は、スリープモード移行時間が電源オフ設定時刻から所定期間以上あるか否かを判断する。本実施形態の以下の説明では電源オフ設定時刻からの所定期間を期間Ｃとして説明する。期間Ｃは、例えば設定部３１２により予め設定されていても良い。
【００６７】
尚本実施形態のスリープモード移行時間とは、ジョブの実行が終了してから画像形成装置１００が待機状態でいる時間を示している。待機状態とは、例えばジョブの実行要求を受けると、直ちにジョブ実行できる状態を示す。
【００６８】
図１０は、第二の実施形態の移行時間判断部による判断を説明する図である。図１０（Ａ）は、スリープモード移行時間の終了時刻ｔ５が期間Ｃの終了時刻ｔ６以後にある場合を示す図である。図１０（Ｂ）は、スリープモード移行時間の終了時刻ｔ５が期間Ｃの終了時刻ｔ６より前にある場合を示す図である。
【００６９】
本実施形態では、図１０（Ａ）に示すように、ジョブ実行の終了時刻ｔ３がジョブ監視開始時刻ｔ１以後にあり、且つ電源オフ設定時刻ｔ２からスリープモード移行時間の終了時刻ｔ５までの期間が期間Ｃより長い場合、期間Ｃの終了時刻ｔ６で画像形成装置１００をスリープモードに移行させる。
【００７０】
本実施形態では、この構成により、スリープモード移行時間における電力の消費を抑えることができる。
【００７１】
また本実施形態では、図１０（Ｂ）に示すように、ジョブ実行の終了時刻ｔ３がジョブ監視開始時刻ｔ１以後にあり、且つ電源オフ設定時刻ｔ２からスリープモード移行時間の終了時刻ｔ５までの期間が期間Ｃより短い場合、スリープモード移行時間の終了時刻ｔ５で画像形成装置１００をスリープモードに移行させる。
【００７２】
本実施形態では、この構成により、期間Ｃの経過を待つことなく画像形成装置１００をスリープモードに移行させることができ、スリープモード移行時間における電力の消費を抑えることができる。
【００７３】
尚、例えばジョブ実行の終了時刻ｔ３がジョブ監視開始時刻ｔ１より前にあり、且つスリープモード移行時間の終了時刻ｔ６が電源オフ設定時刻ｔ２以後である場合には、スリープモードに移行せずに電源オフ設定時刻ｔ２で電源をオフさせても良い。
【００７４】
図１１は、第二の実施形態の画像形成装置の動作を説明するフローチャートである。
【００７５】
図１１のステップＳ１１０１からステップＳ１１０９までの処理は、図８のステップＳ８０１からステップＳ８０９までの処理と同様であるから説明を省略する。
【００７６】
ステップＳ１１０９において条件を満たす場合はステップＳ１１０６へ進む。ステップＳ１１０９において条件を満たさない場合、移行時間判断部３１５は、電源オフ設定時刻ｔ２からスリープモード移行時間の終了時刻ｔ５までの期間が期間Ｃより短いか否かを判断する（ステップＳ１１１０）。すなわち移行時間判断部３１５は、電源オフ設定時刻ｔ２において、スリープモード移行時間の残り時間が期間Ｃよりも長いか否かを判断する。
【００７７】
ステップＳ１１１０においてスリープモード移行時間の残り時間が期間Ｃよりも長い場合、電源制御部３１４は、期間Ｃの終了時刻ｔ６で画像形成装置１００を待機モードからスリープモードへ移行させる（ステップＳ１１１１）。続いて画像形成装置１００は、ステップＳ１１１２へ進む。ステップＳ１１１２の処理は、図８のステップＳ８１０の処理と同様であるから説明を省略する。
【００７８】
ステップＳ１１１０においてスリープモード移行時間の残り時間が期間Ｃよりも短い場合、電源制御部３１４は、スリープモード移行時間の終了時刻ｔ５において画像形成装置１００を待機状態からスリープモードへ移行させ（ステップＳ１１１３）、ステップＳ１１１２へ進む。
【００７９】
本実施形態では、以上のように画像形成装置１００を待機状態からスリープモードへ移行させるタイミングを制御することで、待機状態に消耗される消費電力を低減することができる。
【００８０】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【００８１】
１００  画像形成装置
２００  画像形成部
３００  システム制御部
３１０、３１０Ａ  ＣＰＵ
３１１  ジョブ終了時刻判断部
３１２  設定部
３１３  期間経過判断部
３１４  電源制御部
３１５  移行時間判断部
４００  エンジン制御部
４３０  主電源
【先行技術文献】
【特許文献】
【００８２】
【特許文献１】特開２００８−１４２９４２号公報
【図１】
2013244626.tif 000003
【図２】
2013244626.tif 000004
【図３】
2013244626.tif 000005
【図４】
2013244626.tif 000006
【図５】
2013244626.tif 000007
【図６】
2013244626.tif 000008
【図７】
2013244626.tif 000009
【図８】
2013244626.tif 000010
【図９】
2013244626.tif 000011
【図１０】
2013244626.tif 000012
【図１１】
2013244626.tif 000013